(57)【要約】【課題】  構造を薄くでき、かつ製造コストが安価である位置切換装置、およびこの位置切換装置を有した磁気記録再生装置を提供する。【解決手段】  磁気ヘッド１３を保持するとともに、弾性を有して変位可能な変位保持部２１と、磁気ヘッド１３にその中央部が係合され、高温になった際に収縮する形状記憶合金製の線材２６と、線材２６の両端部が固定された固定保持部２２と、線材２６を加熱する磁気ヘッド１３のコイル２４およびコア２５とを備え、変位保持部２１を、外力を受けていない状態では、その弾性力により、固定保持部２２に対して離反した位置となるように形成し、コイル２４およびコア２５により線材２６が高温になって収縮した際に、この線材２６の収縮力により、変位保持部２１の線材２６との係合箇所を固定保持部２２側に引き寄せる構成とした。【選択図】    図８
2006024258.tif 000002
【特許請求の範囲】
【請求項１】
位置切換対象物を保持するとともに、弾性を有して変位可能な変位保持部と、
位置切換対象物にその一部が係合され、高温になった際に収縮する形状記憶合金製の線材と、
線材の他の一部が固定された固定保持部と、
線材の近傍に配設された熱源とを備え、
変位保持部を、外力を受けていない状態では、その弾性力により、前記固定保持部に対して離反した位置となるように形成し、
熱源により線材が高温になって収縮した際に、この線材の収縮力により、変位保持部の線材との係合箇所を固定保持部側に引き寄せる構成としたことを特徴とする位置切換装置。
【請求項２】
変位保持部と、固定保持部とが、弾性を有する弾性支持部材に形成されており、固定保持部の弾性率が変位保持部の弾性率よりも大きいことを特徴とする請求項１記載の位置切換装置。
【請求項３】
弾性支持部材が、二又形状の固定保持部間に変位保持部が位置するような三又形状に一体形成され、固定保持部における二又形状部分に、線材の両端部が固定されていることを特徴とする請求項２に記載の位置切換装置。
【請求項４】
位置切換対象物が磁気ヘッドであることを特徴とする請求項１〜３の何れか１項に記載の位置切換装置。
【請求項５】
熱源が、磁気ヘッドのコイルおよびコアの少なくとも一方であることを特徴とする請求項４に記載の位置切換装置。
【請求項６】
請求項５に記載の位置切換装置を備え、コイルに通電することにより、変位保持部が固定保持部側に移動して、磁気ヘッドがディスクへの摺接位置または近接位置に移動されることを特徴とする磁気記録再生装置。
【請求項７】
請求項４または５に記載の位置切換装置と、ディスクが収納されたカートリッジを着脱自在に保持するホルダと、複数の姿勢にわたって揺動自在のリフタとを備え、ホルダに対してカートリッジを着脱操作する際、または片面に開口部がないカートリッジを再生する際に、カートリッジの着脱動作または片面に開口部がないカートリッジの装着動作にリフタが連動して、磁気ヘッドがカートリッジに接触しない姿勢に前記リフタにより移動されるように構成したことを特徴とする磁気記録再生装置。
【発明の詳細な説明】
【技術分野】
【０００１】
本発明はディスクに対して情報の記録や再生を行うことができる磁気記録再生装置に関し、詳しくは磁気記録再生装置に設けられる磁気ヘッドなどの位置切換対象物の位置を切り換える位置切換装置に係るものである。
【背景技術】
【０００２】
近年、光ディスクを記録媒体として光ピックアップにより読取り再生する光磁気記録再生装置は、小型化、高性能化が進んでおり、携帯用の光磁気記録再生装置としてミニディスク（ＭＤ）を用いた携帯用ＭＤレコーダが一般的に普及している。
【０００３】
従来の光磁気記録再生装置には、例えば特許文献１に開示するものがあり、この光磁気記録再生装置を図１０〜図１７に基づいて説明する。
図１０に示すように、光磁気記録再生装置は、本体キャビネット１０１の内部に電気回路部１０２と機械機構部１０３とを収納し、本体キャビネット１０１の開口を覆って蓋１０４を配置している。機械機構部１０３はメカベース１０５とメカベース１０５に装着するメカ部１０６とからなり、メカベース１０５とメカ部１０６との間に形成する収納部に挿入するミニディスク１０７は、カートリッジ１０８の内部に音楽信号などの信号を記録再生可能な光ディスク１０９を内蔵しており、光ディスク１０９に光磁気ディスク等の公知のものを用いている。
【０００４】
図１１を参照してメカ部１０６のホルダ１１０に装着する種々の構成部品を説明する。
リフタ１１１はそのヒンジ軸１１２をホルダ１１０に形成したヒンジ軸受１１３に係合させて上下に揺動自在に装着している。駆動ロッド１１４はホルダ１１０に摺動自在に装着しており、そのウェッジ部１１５がリフタ１１１に形成したウェッジ受部１１６に係合・離脱する。
【０００５】
ホルダ１１０にビス止めしたモータ１１７には駆動ギヤ１１８を装着しており、駆動ギヤ１１８に噛合する減速ギヤ１１９をシャフト１２０でホルダ１１０に回転自在に設けている。減速ギヤ１１９と駆動ロッド１１４に設けたＳＷ片１２１との間には伝達ギャユニット１２２を介装している。伝達ギャユニット１２２はシャフト１２３を介して一体に回転するウォームホイール１２４とフィードギャ１２５からなる。図１２に示すように、減速ギヤ１１９にはウォーム１２６を一体的に設けており、ウォーム１２６がウォームホイール１２４に噛合し、フィードギャ１２５がＳＷ片１２１の係合爪部１２７に噛合している。
【０００６】
磁気ヘッドユニット１２８は上下方向に揺動自在に設けた磁気ヘッド１２９を有し、基端側にヘッドアングル１３０をビス止めしており、ヘッドアングル１３０を基台１３１にビス止めし、基台１３１をメカベース１０５に装着している。磁気ヘッド１２９は、図１３の（ａ）に示すように、リフタ１１１が下位姿勢に揺動してリフタ１１１の支えがなくなると光ディスク１０９に摺接する記録状態となり、図１３の（ｂ）に示すように、リフタ１１１が上位姿勢に揺動してリフタ１１１で持ち上げることで光ディスク１０９から離間する再生状態となる。メカベース１０５には、図１４に示すように、光ディスク１０９を回転駆動するスピンドルモータ１３２を設けている。
【０００７】
この構成においては、モータ１１７の駆動により駆動ギヤ１１８が回転し、駆動ギヤ１１８の回転により駆動ギヤ１１８に噛合する減速ギヤ１１９がウォーム１２６と一体に回転し、ウォーム１２６の回転によりウォーム１２６に噛合するウォームホイール１２４がシャフト１２３を介してフィードギャ１２５と一体に回転する。
【０００８】
フィードギャ１２５の回転によってフィードギャ１２５に係合爪部１２７で噛合するＳＷ片１２１が駆動ロッド１１４と一体にシャフト１２３の軸心方向に移動する。この駆動ロッド１１４の移動方向はモータ１１７の回転方向によって決まり、モータ１１７が正・逆回転することで駆動ロッド１１４が出退する。
【０００９】
例えば、図１５の（ａ）、（ｂ）は再生状態を示しており、図１５の（ａ）に示すように、駆動ロッド１１４のウェッジ部１１５がリフタ１１１のウェッジ受部１１６を上方に押圧してリフタ１１１を上位姿勢に保ち、リフタ１１１が磁気ヘッド１２９を持ち上げることで磁気ヘッド１２９が光ディスク１０９から離間している。
【００１０】
この状態で、図１５の（ｂ）において、モータ１１７の駆動により駆動ギヤ１１８が反時計回り方向に回転すると、減速ギヤ１１９、ウォーム１２６、ウォームホイール１２４、シャフト１２３を介してフィードギャ１２５が回転し、図１６の（ｂ）に示すように、フィードギャ１２５の回転によって係合爪部１２７がＳＷ片１２１および駆動ロッド１１４とともに紙面上の右方向へ送り出されて、図１６の（ａ）に示すように、ウェッジ部１１５がリフタ１１１のウェッジ受部１１６から離間する方向に移動し、リフタ１１１が下位姿勢に揺動するにしたがって磁気ヘッド１２９が光ディスク１０９に接近する。
【００１１】
図１７の（ｂ）に示すように、係合爪部１２７がフィードギャ１２５の一端側に達すると、図１７の（ａ）に示すように、ＳＷ片１２１および駆動ロッド１１４とともに移動するウェッジ部１１５がリフタ１１１のウェッジ受部１１６を押圧しない位置に達し、リフタ１１１が下位姿勢となって磁気ヘッド１２９が光ディスク１０９に摺接する。
【特許文献１】特開２００２−３２９３８号公報
【発明の開示】
【発明が解決しようとする課題】
【００１２】
上記したように、従来の光磁気記録再生装置においては、図１２に示すように、リフタ１１１を駆動させる機構として、ホルダ１１０の上にモータ１１７を取り付け、このモータ１１７の回転力を、駆動ギヤ１１８、減速ギヤ１１９、ウォーム１２６、ウォームホイール１２４、フィードギャ１２５で伝達することで構成していたので、これらの構成部品を配置するために、ホルダ１１０の上方部位に比較的大きな高さ寸法を要した。
【００１３】
この高さ寸法の値は、モータ１１７の本体部分の厚みと駆動ギヤ１１８の厚みとを加えた値、もしくはモータ１１７の本体部分の厚みと減速ギヤ１１９の厚みとこれらの間の隙間高さを加えた値、もしくはウォームホイール１２４の直径と減速ギヤ１１８の厚みおよびこれらの間の隙間高さを加えた値の何れかで決定されており、その薄型化が困難であり、結果として携帯用のＭＤレコーダの厚みが厚くなるという課題を有していた。
【００１４】
また、モータ１１７の回転力を複数のギヤで減速させて力を伝達する複雑な減速機構であるために、構造的に形状が大きくなり、モータ自身がコスト高であるとともに部品点数が増えて製造コストが高くなる問題もあった。また、電気信号に対する追従性を良くするためには電気信号の制御が複雑になりがちである。
【００１５】
また、モータ１１７に代えてプランジャを利用する場合においても同様な問題があり、プランジャ自身の大きさで機構のサイズが決定され、プランジャ自身がコスト高である。
本発明は上記課題を解決するものであり、構造を薄くでき、かつ製造コストが安価である位置切換装置、およびこの位置切換装置を有した磁気記録再生装置を提供することを目的とするものである。
【課題を解決するための手段】
【００１６】
上記課題を解決するために本発明の請求項１に係る位置切換装置は、位置切換対象物を保持するとともに、弾性を有して変位可能な変位保持部と、位置切換対象物にその一部が係合され、高温になった際に収縮する形状記憶合金製の線材と、線材の他の一部が固定された固定保持部と、線材の近傍に配設された熱源とを備え、変位保持部を、外力を受けていない状態では、その弾性力により、前記固定保持部に対して離反した位置となるように形成し、熱源により線材が高温になって収縮した際に、この線材の収縮力により、変位保持部の線材との係合箇所を固定保持部側に引き寄せる構成としたことを特徴とする。
【００１７】
上記構成において、熱源により熱を発生させると、熱源の近傍に配置された形状記憶合金製の線材が高温となって収縮し、この線材の収縮力により、変位保持部の線材との係合箇所が固定保持部側に引き寄せられる。一方、熱源による熱の発生を停止させると、形状記憶合金製の線材が伸びた状態となり、変位保持部における線材から受ける収縮力が減少するので、変位保持部が、外力を受けていない本来の姿勢に近づき、固定保持部側からその弾性力により離反する。このように、熱源での熱の発生と停止とにより、変位保持部に保持された位置切換対象物が、線材の収縮力により固定保持部側に引き寄せられた姿勢と、その弾性力により固定保持部側から離反した姿勢とに切り換えられる。
【００１８】
本発明の請求項２に係る位置切換装置は、変位保持部と、固定保持部とが、弾性を有する弾性支持部材に形成されており、固定保持部の弾性率が変位保持部の弾性率よりも大きいことを特徴とする。
【００１９】
本発明の請求項３に係る位置切換装置は、弾性支持部材が、二又形状の固定保持部間に変位保持部が位置するような三又形状に一体形成され、固定保持部における二又形状部分に、線材の両端部が固定されていることを特徴とする。
【００２０】
この構成により、熱源により熱が発生されると、変位保持部に保持された位置切換対象物が二又形状の固定保持部間に入り込むように移動する。この場合に、形状記憶合金製の線材の両端部が固定保持部における二又形状部分に固定されているので、線材を介して変位保持部の位置切換対象物が安定した状態で固定保持部間側に引き寄せられる。
【００２１】
本発明の請求項４に係る位置切換装置は、位置切換対象物が磁気ヘッドであることを特徴とする。
本発明の請求項５に係る位置切換装置は、熱源が、磁気ヘッドのコイルおよびコアの少なくとも一方であることを特徴とする。
【００２２】
この構成により、磁気ヘッドのコイルに通電することで、コイルとコアの温度が上昇し、形状記憶合金製の線材が高温となって収縮し、これにより、磁気ヘッドが設けられた変位保持部における線材との係合箇所が固定保持部側に引き寄せられる。一方、コイルへの通電が止められると、形状記憶合金製の線材が伸びた状態となり、変位保持部における線材から受ける収縮力が減少するので、変位保持部が、外力を受けていない本来の姿勢に近づき、固定保持部側からその弾性力により離反する。このように、コイルへの通電と停止とにより、変位保持部に設けられた磁気ヘッドが、線材を介して固定保持部側に引き寄せられて近づいた姿勢と、その弾性力により固定保持部から離反した姿勢とに切り換えられる。
【００２３】
本発明の請求項６に係る磁気記録再生装置は、請求項５に記載の位置切換装置を備え、コイルに通電することにより、変位保持部が固定保持部側に移動して、磁気ヘッドがディスクへの摺接位置または近接位置に移動されることを特徴とする。
【００２４】
本発明の請求項７に係る磁気記録再生装置は、請求項４または５項に記載の位置切換装置と、ディスクが収納されたカートリッジを着脱自在に保持するホルダと、複数の姿勢にわたって揺動自在のリフタとを備え、ホルダに対してカートリッジを着脱操作する際、または片面に開口部がないカートリッジを再生する際に、カートリッジの着脱動作または片面に開口部がないカートリッジの装着動作にリフタが連動して、磁気ヘッドがカートリッジに接触しない姿勢に前記リフタにより移動されるように構成したことを特徴とする。
【００２５】
この構成により、カートリッジの着脱動作時や、片面に開口部がないカートリッジの装着動作時には、リフタにより磁気ヘッドがカートリッジに接触しない姿勢に移動され、これにより、磁気ヘッドのカートリッジへの接触による損傷を防止できて、磁気ヘッドの信頼性の向上や長寿命化を図ることができる。
【発明の効果】
【００２６】
以上のように本発明によれば、変位保持部の弾性力を利用しながら、熱源での熱の発生と停止とにより、モータ等の動力を要することなく位置切換装置を実現でき、また、熱源での熱の発生と停止の簡単な制御で切換動作が可能であり、従来において薄型化を阻む要素であったモータ等の駆動力発生源を熱源と線材とに置き換えることで位置切換装置の薄型化を容易かつ簡単に構成することができ、薄型化に加えて製造コストの低減化をも図ることが可能となる。
【００２７】
また、変位保持部と、固定保持部とを、弾性を有する弾性支持部材に形成し、固定保持部の弾性率を変位保持部の弾性率よりも大きくしたことにより、簡単な構成で変位保持部と固定保持部とを形成できる。
【００２８】
さらに、弾性支持部材を、二又形状の固定保持部間に変位保持部が位置するような三又形状に一体形成し、固定保持部における二又形状部分に、線材の両端部を固定することにより、極めて簡単な構成で、変位保持部で保持した位置切換対象物の位置を安定して切り換えることができる。
【００２９】
また、磁気ヘッドを位置切換対象物として用いることにより、極めて簡単な構成で磁気ヘッドの位置を切り換えることができる。
さらに、磁気ヘッドに設けられているコイルとコアを熱源としても用いることにより、形状記憶合金製の線材を加熱する熱源を別途に設けなくて済むので、部品点数を削減でき、これにより、さらに薄型化および製造コストの低減化を図ることができる。また、形状記憶合金製の線材自体に通電する構造ではなくて、その電気回路も不要であるので、これによっても、製造コストの低減化を図ることができる。
【００３０】
また、カートリッジの着脱動作時や、片面に開口部がないカートリッジの装着動作時に、リフタにより磁気ヘッドをカートリッジに接触しない姿勢に移動させることにより、磁気ヘッドのカートリッジへの接触による損傷を防止できて、磁気ヘッドの信頼性の向上や長寿命化を図ることができる。
【発明を実施するための最良の形態】
【００３１】
以下、本発明の実施の形態を図面に基づいて説明する。図１は本実施の形態における光磁気記録再生装置の全体斜視図、図２は同光磁気記録再生装置の分解斜視図、図３は同光磁気記録再生装置の機械機構部の斜視図である。
【００３２】
図１〜図３において、光磁気記録再生装置は、本体キャビネット１の内部に電気回路部２と機械機構部３とを収納し、本体キャビネット１の開口を覆って蓋４を配置している。
機械機構部３は、メカベース５とメカベース５に装着するメカ部６とからなり、メカ部６には、ミニディスク７を両側から着脱自在に保持するホルダ１１が一体形成されている。ミニディスク７は、カートリッジ８の内部に音楽信号などの信号を記録再生可能な光ディスク９を内蔵しており、光ディスク９に光磁気ディスク等の公知のものを用いている。メカベース５には光ディスク９を回転駆動するスピンドルモータ１０を設けている。
【００３３】
図２〜図５に示すように、メカ部６のホルダ１１には磁気ヘッドユニット１２が摺接する姿勢で配設されている。この磁気ヘッドユニット１２は、その先端部に位置切換対象物としての磁気ヘッド１３を上下方向に揺動自在に支持する弾性支持部材２０を有し、弾性支持部材２０の基端側にヘッドアングル１９をビス止めしており、ヘッドアングル１９を、光ピックアップ（図示せず）が組み付けられた基台１８にビス止めし、基台１８を横方向に移動自在な状態でメカベース５に装着している。磁気ヘッド１３は、光ディスク９に摺接する記録姿勢（図５参照）と光ディスク９から少し離間した記録準備姿勢（図４参照）と、カートリッジ８から離間する離間姿勢（図６（ａ），（ｂ）参照）とにわたって揺動する。
【００３４】
この磁気ヘッド１３が設けられた弾性支持部材２０は板ばね材で構成され、磁気ヘッド１３の位置を以下のような構成で切り換える位置切換装置が設けられている。図７〜図９に示すように、弾性支持部材２０には、磁気ヘッド１３を保持する変位保持部２１と、後述する形状記憶合金製の線材２６の両端部を固定する固定保持部２２とが一体形成されており、平面視して二又形状の固定保持部２２の間に変位保持部２１が位置するような三又形状に形成され、変位保持部２１の先端寄り箇所に磁気ヘッド１３が設けられている。また、磁気ヘッド１３は、変位保持部２１に固定されて光ディスク９に摺接するスライダ２３と、スライダ２３に組み付けられたコイル２４と、このコイル２４が巻かれたコア２５とから構成されている。そして、これらのコイル２４とコア２５との間の間隙を横断するように、高温になった際に長手方向に対して収縮する形状記憶合金製の２本の線材２６が貫通して配設され、これらの線材２６の両端部は、コイル２４やコア２５の両側方位置に配設されている固定保持部２２の先端部に接着剤などを用いて固定されている。また、通常の状態では、固定保持部２２は、光ディスク９に近接した姿勢に保持されているが、変位保持部２１は、外力を受けていない状態で、その弾性力により、固定保持部２２および光ディスク９の表面部位値に対して離反した位置となるように形成され、固定保持部２２の弾性率（弾性係数）が変位保持部２１の弾性率よりも大きくなるように構成されている。なお、図７、図８における２７はコイル２４に通電するためのフレキシブル配線である。また、図７（ｂ）、図８（ｂ）に示すように、形状記憶合金製の線材２６は、コイル２４やコア２５の上端部箇所を横切る位置で磁気ヘッド１３に係合され、常温では少し弛みかけた状態となるような長さとされて、変位保持部２１の上方への弾性力により、磁気ヘッド１３が光ディスク９の表面部から離反するように持ち上げられた姿勢に維持されている。
【００３５】
また、磁気ヘッド１３がその先端部に設けられている弾性支持部材２０は、リフタ１４によっても上下に揺動するように持ち上げ可能に位置規制されている。リフタ１４はそのヒンジ軸受１６をホルダ１１に形成したヒンジ軸１７に係合させて上下に揺動自在に装着されており、リフタ１４は、上方寄り姿勢に揺動して磁気ヘッド１３をカートリッジ８から離間する前記離間姿勢に揺動させ、また、下方寄り姿勢に揺動して磁気ヘッド１３を光ディスク９に摺接する記録姿勢（図５参照）および光ディスク９から少し離間した記録準備姿勢（図４参照）に解放する。リフタ１４はメカ部６に形成した付勢部材１５（図３参照）などにより下方側に向けて付勢されている。
【００３６】
また、片側のホルダ１１には、挿入されたカートリッジ８の凹部に係合するカートリッジ係合部３１ａをその奥側部分に有するホルダスライダ３１がスライド自在に取付けられている。そして、カートリッジ８の着脱動作が行われる際およびカートリッジ８が挿入されていない際には、ホルダスライダ３１に形成されたテーパ付き突出面３１ｂ（図３参照）が、リフタ１４の一端側に形成された突板部１４ａ（図６（ａ）参照）に下方から当接し、これにより、図６（ａ）に示すように、リフタ１４が持ち上げられて、磁気ヘッド１３がカートリッジ８に接触しない離間姿勢に保持される。
【００３７】
また、ミニディスク７として、記録されることがなく、光ピックアップに臨む下面側しか開口部を有しないミニディスク７（いわゆるＲＯＭディスク）のカートリッジ８が挿入された場合には、図６（ｂ）に示すように、カートリッジ８が、リフタ１４に形成した摺接部１４ｂに当接し、これにより、図６（ｂ）に示すように、リフタ１４が持ち上げられて、磁気ヘッド１３がカートリッジ８に接触しない離間姿勢に保持される。
【００３８】
次に、上記構成の作用を説明する。
ミニディスク７が挿入される際（図６（ａ）参照）や、再生専用のミニディスク（ＲＯＭディスク）７が装着された際（図６（ｂ）参照）には、リフタ１４が持ち上げられて、磁気ヘッド１３がカートリッジ８に接触しない離間姿勢に保持されるため、磁気ヘッド１３がカートリッジ８等に接触せず、これにより、磁気ヘッド１３の損傷や磨耗などが抑えられて長寿命化が図られる。
【００３９】
一方、再生だけでなく記録も可能なミニディスク（いわゆるＲＡＭディスク）７のカートリッジ８がホルダ１１内の所定位置まで収納されると、カートリッジ８にそのテーパ付き突出面３１ｂで係合したホルダスライダ３１が奥側まで移動され、そのテーパ付き突出面３１ｂがリフタ１４の突板部１４ａから離反し、この結果、図４に示すように、磁気ヘッド１３は、リフタ１４により押し上げられなくなって下側位置に移動し、光ディスク９から少し離間した記録準備姿勢（図４参照）まで接近する。なお、記録を行わずに、再生のみ行う場合でも、素早く記録動作に切り換えられるように、この姿勢に配置される。
【００４０】
この後、光ディスク９への記録指示があると、まず、磁気ヘッド１３のコイル２４に所定の通電量で通電し、コイル２４およびコア２５を高温状態とする。すると、コイル２４およびコア２５の熱により、形状記憶合金製の線材２６も高温となって収縮する。そして、この形状記憶合金製の線材２６の収縮力が変位保持部２１の上方への弾性力を上回った時点で、変位保持部２１における磁気ヘッド１３が設けられている箇所が、線材２６の収縮力により、弾性率が変位保持部２１の弾性率よりも大きな固定保持部２２側に引き寄せられ、図５、図８、図９（ｂ）に示すように、磁気ヘッド１３が光ディスク９に摺接する。この後、通常の電流量でコイル２４に通電し、磁気ヘッド１３および光ピックアップにより、光ディスク９の所定箇所のデータを書き換える。なお、通常の電流量で、直ぐにコイル２４およびコア２５が所定の温度に達する場合には、加熱のための電流の制御を省くことも可能である。
【００４１】
このような記録動作が終了し、磁気ヘッド１３のコイル２４への通電が停止されると、コイル２４およびコア２５の温度が室温近くまで下がることで、形状記憶合金製の線材２６がその長さ方向に伸びる。これにより、変位保持部２１はその弾性力により上昇し、図４、図７、図９（ａ）に示すように、磁気ヘッド１３が光ディスク９から離反する。
【００４２】
このように本発明によれば、変位保持部２１の弾性力を利用しながら、熱源としてのコイル２４やコア２５での熱の発生と停止とにより、モータ等の動力を要することなく磁気ヘッド１３の位置切換を実現でき、また、前記熱源での熱の発生と停止の簡単な制御で切換動作が可能であり、従来において薄型化を阻む要素であったモータ等の駆動力発生源を熱源と線材とに置き換えることで位置切換装置の薄型化を容易かつ簡単に構成することができ、薄型化に加えて製造コストの低減化をも図ることが可能となる。
【００４３】
また、変位保持部２１と固定保持部２２とを、弾性を有する弾性支持部材２０に形成し、固定保持部２２の弾性率を変位保持部２１の弾性率よりも大きくしたことにより、簡単な構成で安価に変位保持部２１と固定保持部２２とを形成できる。さらに、弾性支持部材２０を、二又形状の固定保持部２２間に変位保持部２１が位置するような三又形状に一体形成し、固定保持部２２における二又形状部分に、線材２６の両端部を固定することにより、極めて簡単な構成で、変位保持部２１で保持した位置切換対象物としての磁気ヘッド１３の位置を安定して切り換えることができる。
【００４４】
そして特に、磁気ヘッド１３に設けられているコイル２４とコア２４とを熱源としても用いることにより、形状記憶合金製の線材２６を加熱する熱源を別途に設けなくて済むので、部品点数を削減できるとともに、熱源の制御も容易であり、これにより、さらに光磁気記録再生装置の薄型化および製造コストの低減化を図ることができる。また、形状記憶合金製の線材自体に通電するための電気回路も不要であるので、これによっても、製造コストの低減化を図ることができる。
【００４５】
また、カートリッジ８の着脱動作時や、再生専用のミニディスク（ＲＯＭディスク）７の装着動作時に、リフタ１４により磁気ヘッド１３をカートリッジ８に接触しない姿勢に移動させることにより、磁気ヘッド１３のカートリッジ８への接触による損傷や磨耗を防止できて、磁気ヘッド１３の信頼性の向上や長寿命化を図ることができる。
【００４６】
なお、上記実施の形態では、形状記憶合金製の線材２６を２本用いることで、磁気ヘッド１３の位置を安定して切り換えることができるが、これに限るものではなく、形状記憶合金製の線材２６の本数は１本や３本以上でも差し支えない。また、上記実施の形態では、コイル２４とコア２４との両方を、線材２６を加熱する熱源として用いた場合を述べたが、コイル２４またはコア２４の何れかだけを熱源として用いてもよい。また、線材２６の両端部を固定保持部２２にそれぞれ固定することで、磁気ヘッド１３の位置を安定して切り換えることができるが、光磁気記録再生装置などの磁気記録再生装置において、位置切換対象物として磁気ヘッド１３以外のものを用いて位置を切り換えることも可能である。この場合には、固定保持部を１つだけ設けて、記憶合金製の線材の中間部を変位保持部に係合させ、線材の両端部を同じ固定保持部に固定させたり、または、一端を固定保持部に固定し、他端側を変位保持部に固定させたりしてもよく、この構造によっても、熱源で加熱されて線材が収縮した際に、変位保持部が固定保持部側に近づくように位置切換を行わせることが可能である。また、この場合には、熱源としていろいろなものを用いることが可能である。
【産業上の利用可能性】
【００４７】
本発明の位置切換装置および磁気記録再生装置は、光磁気記録再生装置の磁気ヘッドの位置の切り換えに特に好適であるが、これに限るものではなく、各種の位置の切換手段として適用できる。
【図面の簡単な説明】
【００４８】
【図１】本実施の形態における光磁気記録再生装置の全体斜視図
【図２】同光磁気記録再生装置の機械機構部の斜視図
【図３】同光磁気記録再生装置のメカ部の斜視図
【図４】（ａ）〜（ｃ）は同光磁気記録再生装置の再生時における磁気ヘッドユニットおよびその近傍箇所の平面図、側面図および正面断面図
【図５】（ａ）〜（ｃ）は同光磁気記録再生装置の記録時における磁気ヘッドユニットおよびその近傍箇所の平面図、側面図および正面断面図
【図６】（ａ）は同光磁気記録再生装置のカートリッジ着脱時における磁気ヘッドユニットおよびその近傍箇所の側面図、（ｂ）は同光磁気記録再生装置のＲＯＭディスク装着時の磁気ヘッドユニットおよびその近傍箇所の側面図
【図７】（ａ）および（ｂ）は、同光磁気記録再生装置の再生時における磁気ヘッドユニットの要部平面図および要部側面図
【図８】（ａ）および（ｂ）は、同光磁気記録再生装置の記録時における磁気ヘッドユニットの要部平面図および要部側面図同リフタ駆動部のベース部材を示す斜視図
【図９】（ａ）および（ｂ）は、同光磁気記録再生装置の再生時および記録時における磁気ヘッドユニットの要部平面図
【図１０】従来の光磁気記録再生装置の概略を示す分解斜視図
【図１１】同光磁気記録再生装置の分解斜視図
【図１２】同光磁気記録再生装置の要部拡大図
【図１３】（ａ）および（ｂ）はそれぞれ同光磁気記録再生装置の磁気ヘッドユニットの拡大側面図
【図１４】同光磁気記録再生装置の要部拡大分解図
【図１５】（ａ）および（ｂ）は同光磁気記録再生装置の磁気ヘッドユニットの要部拡大側面図、要部拡大平面図
【図１６】（ａ）および（ｂ）は同光磁気記録再生装置の磁気ヘッドユニットの要部拡大側面図、要部拡大平面図
【図１７】（ａ）および（ｂ）は同光磁気記録再生装置の磁気ヘッドユニットの要部拡大側面図、要部拡大平面図
【符号の説明】
【００４９】
７      ミニディスク
８      カートリッジ
９      光ディスク
１１    ホルダ
１２    磁気ヘッドユニット
１３    磁気ヘッド（位置切換対象物）
２０    弾性支持部材
２１    変位保持部
２２    固定保持部
２３    スライダ
２４    コイル（熱源）
２５    コア（熱源）
２６    線材
【図１】
2006024258.tif 000003
【図２】
2006024258.tif 000004
【図３】
2006024258.tif 000005
【図４】
2006024258.tif 000006
【図５】
2006024258.tif 000007
【図６】
2006024258.tif 000008
【図７】
2006024258.tif 000009
【図８】
2006024258.tif 000010
【図９】
2006024258.tif 000011
【図１０】
2006024258.tif 000012
【図１１】
2006024258.tif 000013
【図１２】
2006024258.tif 000014
【図１３】
2006024258.tif 000015
【図１４】
2006024258.tif 000016
【図１５】
2006024258.tif 000017
【図１６】
2006024258.tif 000018
【図１７】
2006024258.tif 000019